(57)【要約】【課題】薄型テレビジョン等を販売店からユーザに運搬した後、梱包部材の回収や処理等に困難が伴っていた。【解決手段】梱包物を下方より支える箱型形状の箱部５と、上部に複数の片部を有し、梱包物を側面から保持する枠部２、３と、梱包物を上方より覆うとともに、箱部５の水平方向断面より小さいサイズの水平方向断面を備えた蓋部１とを有し、枠部２、３の上部にそれぞれ垂直方向に切り欠け部２ｂ、３ｂを備え、梱包物を収納する際に切り欠け部２ｂ、３ｂにより片部を内側に折り曲げて蓋部１の内部に片部を挿入させる。【選択図】図３
2012001245.tif 000002
【特許請求の範囲】
【請求項１】
梱包物を下方より支える箱型形状の箱部と、上部に複数の片部を有し、前記梱包物を側面から保持する第１及び第２の枠部と、前記第１及び第２の枠部の上部と係合し、前記梱包物を上方より覆うとともに、前記箱部の水平方向断面より小さいサイズの水平方向断面を備えた蓋部とを有し、前記第１の枠部及び第２の枠部の上部にそれぞれ垂直方向に切り欠け部を備え、前記梱包物を収納する際に前記切り欠け部により前記片部を内側に折り曲げて前記蓋部の内部に前記片部を挿入させることを特徴とする梱包部材。
【請求項２】
前記箱部の２つの側面部と前記蓋部の２つの側面部にそれぞれ備えられた保持部をさらに有することを特徴とする請求項１記載の梱包部材。
【請求項３】
請求項１記載の梱包部材を回収する方法であって、前記第１の枠部及び前記第２の枠部を折りたたんで前記箱部に収納し、その後、上方より前記蓋部を前記箱部にかぶせることにより前記蓋部が前記箱部の内部に入り込んだ状態で前記梱包部材を回収することを特徴とする梱包部材の回収方法。
【発明の詳細な説明】
【技術分野】
【０００１】
本発明は、とりわけ薄型テレビジョン等の薄型の装置を梱包する梱包方法及び梱包部材に関し、特にユーザに薄型テレビジョン等を搬送した後に、梱包部材を簡単に回収できる薄型テレビジョン等の梱包部材及び梱包部材の回収方法に関する。
【背景技術】
【０００２】
プラズマテレビジョンや薄型テレビジョン等の薄型テレビジョンを梱包する方法としては、従来以下のような方法が知られている。すなわち、薄型テレビジョンを梱包する方法としては、薄型テレビジョンを収容する梱包箱と、薄型テレビジョンを梱包箱に収容する際、薄型テレビジョンを梱包箱内に固定するとともに、梱包箱内の薄型テレビジョンを保護するため天面と嵌合する発泡スチロール製の天面補強部材と、同じく薄型テレビジョンの底面に固定して梱包箱に収容した際、薄型テレビジョンの幅方向の固定並びに保護を行う底面補強部材とを有する構成である。上述した構成により薄型テレビジョンを梱包箱に収容すると、薄型テレビジョンは天面補強部材、底面補強部材より天面と底面を保護されて梱包される（例えば、特許文献１参照）。
【先行技術文献】
【特許文献】
【０００３】
【特許文献１】特開２００８−７４４１７号公報
【発明の概要】
【発明が解決しようとする課題】
【０００４】
しかしながら、上記（特許文献１）で開示された梱包部材では、薄型テレビジョン等を販売店からユーザに運搬した後、梱包部材の回収や処理等に困難が伴うという課題があった。これは以下の理由で生ずる。すなわち、一般的に運搬される薄型テレビジョンのサイズが大きいためにこれを運搬するための梱包部材も大型化してしまい、回収の際の運搬が困難であるとともに、廃棄するにしても大型の廃棄ボックスを必要としていた。また、（特許文献１）に開示されているように運搬時における薄型テレビジョンへの傷や破損を防止するために多くの保護部材や固定部材を必要とするため、これらの保護部材、固定部材の回収や処分も行わなければならなかった。
【０００５】
本発明は、上記の課題に鑑みて為されたものであり、一般的に大型の商品である薄型テレビジョン等を運搬後、簡単に回収あるいは廃棄することができる梱包部材及び梱包部材の回収方法を提供することを目的とする。なお、本実施例では薄型テレビジョンを梱包する梱包部材及び梱包部材の回収方法として説明しているが、薄型テレビジョンのみに利用されるものでもなく、類似の商品の梱包方法として利用できることはいうまでもない。とりわけ、大型で幅の狭い商品を運搬する際には有益な技術である。
【課題を解決するための手段】
【０００６】
上記目的を達成するために、本発明は、梱包物を下方より支える箱型形状の箱部と、上部に複数の片部を有し、前記梱包物を側面から保持する第１及び第２の枠部と、前記第１及び第２の枠部の上部と係合し、前記梱包物を上方より覆うとともに、前記箱部の水平方向断面より小さいサイズの水平方向断面を備えた蓋部とを有し、前記第１の枠部及び第２の枠部の上部にそれぞれ垂直方向に切り欠け部を備え、前記梱包物を収納する際に前記切り欠け部により前記片部を内側に折り曲げて前記蓋部の内部に前記片部を挿入させるようにしたものである。
【発明の効果】
【０００７】
本発明によれば、上記構成より薄型テレビジョンを取り出した後、梱包部材をコンパクトにすることができ、また、保護部材や固定部材等も梱包部材の内部に収納することができるため、簡単に回収あるいは廃棄することができる。特に、大型の薄型テレビジョン等に利用される梱包部材にとって回収時に伴う困難を除去することができ有益である。
【図面の簡単な説明】
【０００８】
【図１】本発明の一実施例における梱包部材の展開図
【図２】本発明の一実施例における蓋部と箱部のサイズの相違を示す図
【図３】本発明の一実施例における梱包部材の主要な構成を示す概略構成図
【図４】薄型テレビジョン等が梱包された状態を示す概略構成図
【図５】本発明の一実施例による収納部材の側面長手方向における断面図
【図６】本発明の一実施例による収納部材が回収される際の状態を示す概略構成図
【図７】本発明の一実施例による収納部材が回収される際の状態を示す概略構成図
【発明を実施するための形態】
【０００９】
本発明の第１の発明は、梱包物を下方より支える箱型形状の箱部と、上部に複数の片部を有し、前記梱包物を側面から保持する第１及び第２の枠部と、前記第１及び第２の枠部の上部と係合し、前記梱包物を上方より覆うとともに、前記箱部の水平方向断面より小さいサイズの水平方向断面を備えた蓋部とを有し、前記第１の枠部及び第２の枠部の上部にそれぞれ垂直方向に切り欠け部を備え、前記梱包物を収納する際に前記切り欠け部により前記片部を内側に折り曲げて前記蓋部の内部に前記片部を挿入させるようにしたものである。これにより、薄型テレビジョンを取り出した後、梱包部材をコンパクトにすることができ、また、保護部材や固定部材等も梱包部材の内部に収納することができるため、簡単に回収あるいは廃棄することができる。
【００１０】
また、第２の発明は、前記箱部の２つの側面部と前記蓋部の２つの側面部にそれぞれ備えられた保持部をさらに有するものであり、これにより階段等を利用して運搬するに際し、運搬人が上下の保持部を交互に持つことができ、簡単に運搬することができる。
【００１１】
また、第３の発明は、上記の梱包部材を回収する方法であって、前記第１の枠部及び前記第２の枠部を折りたたんで前記箱部に収納し、その後、上方より前記蓋部を前記箱部にかぶせることにより前記蓋部が前記箱部の内部に入り込んだ状態で前記梱包部材を回収するようにしたものであり、回収時に梱包部材をコンパクトに纏めることができ、簡単に回収を行うことができる。
【００１２】
以下、本発明の実施例について図面を用いて説明する。図１は本発明の一実施例における梱包部材の展開図である。図１において、１は薄型テレビジョンを梱包する際に上方から覆って梱包を行う蓋部、２及び３はそれぞれ側面から薄型テレビジョンを梱包する枠部、枠部でありそれぞれ山折部２ａ、３ａの上方部に切り欠け部２ｂ、３ｂを備える。つまり、枠部２、枠部３にはそれぞれ２つの切り欠け部２ｂ、３ｂを備えることになる。この切り欠け部２ｂ、３ｂの役割については後述する。４は緩衝材であり、薄型テレビションへの傷や破損を防止するために備えられている。本実施例では３つの緩衝材を例示しているが、薄型テレビジョンのサイズや形状によって様々な数や形状の緩衝材が利用できる。
【００１３】
５は箱部であり、薄型テレビジョン運搬時での台座としても機能する。薄型テレビジョンを梱包する際には、箱部５に緩衝材４を載置し、その上に薄型テレビジョンを載置する。そして、前面及び後面の側面部より山折部２ａ、２ｂで山折された枠部２及び枠部３を固定する。第１及び枠部２及び３を箱部５の内部に立てかけることにより固定される。最後に蓋部１を上方から覆い固定することにより薄型テレビジョンの梱包が為される。
【００１４】
ここで、蓋部１の長手方向のサイズａを箱部５の長手方向のサイズｃよりもやや小さくすると同時に蓋部１の縦方向のサイズｂも箱部５の縦方向のサイズｄよりも小さくしている。例えば、これらのサイズは梱包する薄型テレビジョンのサイズによって適宜変更されるが、サイズｃとサイズａの差分は約８ｍｍ〜１２ｍｍ、サイズｄとサイズｂの差分は５０ｍｍ〜７０ｍｍが望ましい。
【００１５】
図２は本発明の一実施例における蓋部と箱部のサイズの相違を示す図である。上述したように蓋部１と箱部５の断面部の横方向（長手方向）及び縦方向のサイズであるａとｃ及びｂとｄのサイズが異なっており、それぞれａ＜ｃ、ｂ＜ｄとなっている。このため、蓋部１は箱部５の内部に収納可能になっている。
【００１６】
図３は本発明の一実施例における梱包部材の主要な構成を示す概略構成図である。図１で説明したように枠部２及び枠部２の上部角部にはそれぞれ切り欠け部２ｂ、３ｂが備えられている。これは蓋部１の上述のサイズが箱部５のそれよりも小さいために薄型テレビジョン等の収納時に、そのままの状態では箱部５が枠部２及び枠部３に適合しない。そのために切り欠け部２ｂ、３ｂを利用して枠部２及び枠部３の上部方２ｃ、２ｄ、３ｃ、３ｄがやや内側に折れ曲がるような構成になっている。これらの上部方２ｃ、２ｄ、３ｃ、３ｄの折れ曲がりによって、収納時には、上部片２ｃ、２ｄ、３ｃ、３ｄが箱部５の内部に入り込むことができる。そのために、薄型テレビジョン等の収納が安全に適切に為されることになる。なお、一般に薄型テレビジョンではパネル部の厚さが各テレビジョンによって異なっていることが知られている。これに対応するために本実施例では図示していないが枠部２、３の内部に緩衝材を挿入し、異なるサイズのパネル部をもつ薄型テレビジョンの収納に対応している。緩衝材は従来の発泡スチロールやエアーを入れた物等、弾力性があれば利用できることはいうまでもない。
【００１７】
図４は薄型テレビジョン等が梱包された状態を示す概略構成図である。６ａは上部ジョイント部であり、６ｂは下部ジョイント部であり、それぞれ蓋部１及び箱部５の側面に配置される。これら上部ジョイント部６ａ及び下部ジョイント部６ｂを利用して運搬人により梱包部材が運搬される。ジョイント部をそれぞれ蓋部１と箱部５に位置させたのは、階段等の運搬時に二人の運搬人がそれぞれ上部ジョイント部６ａと下部ジョイント部６ｂとを利用して運搬することができ、容易に運搬することができる。７もジョイント部であり、箱部５の表面及び裏面に位置され、それぞれ運搬の際に保持されるために利用される。図４から明らかなように枠部２及び枠部３は切り欠け部２ｂ、３ｂの働きによって、それぞれの上部片２ｃ、２ｄ、３ｃ、３ｄが蓋部１の内部に入り込み、蓋部１と箱部５のサイズが異なっても枠部２及び枠部３は蓋部１及び箱部５の内部に入り込んで収納が完了する。
【００１８】
図５は本発明の一実施例による収納部材の側面長手方向における断面図である。枠部２及び枠部３上部片２ｄ、３ｄが内側に折れ曲がっており、蓋部１の内部に入り込んだ状態となっている。また、それぞれの上部ジョイント部６ａが上部片２ｄ及び３ｄを固定しており、上部片２ｄ、３ｄが極端に折れ曲がってしまうことを防止している。
【００１９】
図６及び図７は本発明の一実施例による収納部材が回収される際の状態を示す概略構成図である。回収の際にはまず、枠部２及び枠部３をそれぞれ図示したように折りたたみ、それぞれ２１及び３１で示す状態にする。これらを緩衝材４とジョイント部７とともに箱部５の中に収納する。これらの部材を収納した後に蓋部１を箱部５に上方よりかぶせる。上述したように蓋部１の水平方向における断面部の横方向と縦方向のサイズは箱部５のそれらよりも小さいサイズである。そのために蓋部１は箱部５の内部に収納されることになり、図７で示すようなコンパクトな状態で回収されることになる。
【産業上の利用可能性】
【００２０】
本発明の梱包部材及び梱包部材の回収方法によれば、薄型テレビジョンを取り出した後、梱包部材をコンパクトにすることができ、また、保護部材や固定部材等も梱包部材の内部に収納することができるため、簡単に回収あるいは廃棄することができる。そのため、特に、大型の薄型テレビジョン等に利用される梱包部材に有用である。
【符号の説明】
【００２１】
１    蓋部
２    枠部
３    枠部
４    緩衝材
５    箱部
【図１】
2012001245.tif 000003
【図２】
2012001245.tif 000004
【図３】
2012001245.tif 000005
【図４】
2012001245.tif 000006
【図５】
2012001245.tif 000007
【図６】
2012001245.tif 000008
【図７】
2012001245.tif 000009